(57)【要約】【課題】  強盗犯などに脅迫された状態においても家人が容易にセキュリティセンターへ緊急通報することができるホームセキュリティシステムを提供する。【解決手段】  壁際の床面Ｆの壁Ｗから足幅相当の幅内に臨んで配置された押ボタン８Ａを足の踵で踏み付け操作することにより、防犯用緊急通報スイッチ８がホームコントローラを介してセキュリティセンターへ緊急通報するため、強盗犯などに脅迫された状態においても家人は容易にセキュリティセンターへ緊急通報することができる。【選択図】  図４
0003103031.tif 000002
【実用新案登録請求の範囲】
【請求項１】
セキュリティセンターへ緊急通報するための防犯用緊急通報スイッチを備えたホームセキュリティシステムであって、
前記防犯用緊急通報スイッチは、室内の壁際下部に操作部を臨ませて配置されていることを特徴とするホームセキュリティシステム。
【請求項２】
前記防犯用緊急通報スイッチの操作部は、壁際床面の壁から足幅相当の幅内の部分に臨んで配置されていることを特徴とする請求項１に記載のホームセキュリティシステム。
【請求項３】
前記防犯用緊急通報スイッチの操作部が押ボタンで構成されていることを特徴とする請求項１または２に記載のホームセキュリティシステム。
【考案の詳細な説明】
【技術分野】
【０００１】
本考案は、セキュリティセンターへ緊急通報するための防犯用緊急通報スイッチを備えたホームセキュリティシステムに関するものである。
【背景技術】
【０００２】
近年、住宅内などで発生する各種の異常をセキュリティセンターが２４時間態勢で監視し、異常発生時にはセキュリティセンターが必要な対策を緊急に講じるようにしたホームセキュリティサービスが普及しつつある。
【０００３】
この種のホームセキュリティサービスの一環として、強盗犯などが住宅に不法侵入した際には、家人が防犯用緊急通報スイッチを操作することにより、その緊急通報を受けたセキュリティセンターが緊急対処員を急行させると共に、最寄りの警察などに通報するようにしたサービスが知られている（例えば非特許文献１参照）。
【非特許文献１】セコム株式会社のパンフレット「セコム・ホームセキュリティ」
【考案の開示】
【考案が解決しようとする課題】
【０００４】
ところで、非特許文献１に記載された防犯用緊急通報スイッチは、ボックス状に構成されて室内の壁面に着脱自在に固定されている。このため、強盗犯などの不法侵入に際し、家人は壁面にある防犯用緊急通報スイッチを手で操作しなければならない。
【０００５】
しかしながら、強盗犯などに脅迫された状態では、家人は恐怖の余り手が震えることもあり、また、不用意に手を動かすと犯人を刺激して危険である。このため、防犯用緊急通報スイッチを家人が手で操作することは非常に困難であり、実際には防犯用緊急通報スイッチを操作できないことも多々ある。
【０００６】
そこで、本考案は、強盗犯などに脅迫された状態においても家人が容易にセキュリティセンターへ緊急通報することができるホームセキュリティシステムを提供することを課題とする。
【課題を解決するための手段】
【０００７】
本考案に係るホームセキュリティシステムは、セキュリティセンターへ緊急通報するための防犯用緊急通報スイッチを備えたホームセキュリティシステムであって、防犯用緊急通報スイッチは、室内の壁際下部に操作部を臨ませて配置されていることを特徴とする。
【０００８】
本考案に係るホームセキュリティシステムでは、室内の壁際下部に臨んで配置された操作部を足で操作することにより、防犯用緊急通報スイッチがセキュリティセンターへ緊急通報する。
【０００９】
本考案のホームセキュリティシステムにおいて、防犯用緊急通報スイッチの操作部が壁際床面の壁から足幅相当の幅内に臨んでいると、家人が壁際を歩いても操作部が足で不用意に操作されることがなく、防犯用緊急通報スイッチの誤操作が防止される。
【００１０】
また、防犯用緊急通報スイッチの操作部が押ボタンで構成されていると、操作部を足で容易に操作することができるので好ましい。
【考案の効果】
【００１１】
本考案に係るホームセキュリティシステムによれば、室内の壁際下部に臨んで配置された操作部を家人が足で操作することにより、防犯用緊急通報スイッチがセキュリティセンターへ緊急通報するため、強盗犯などに脅迫された状態においても家人は容易にセキュリティセンターへ緊急通報することができる。
【考案を実施するための最良の形態】
【００１２】
以下、添付図面に基づいて本考案に係るホームセキュリティシステムの実施の形態を説明する。添付図面において、図１は本考案の一実施形態に係るホームセキュリティシステムのシステム構成図、図２は図１に示したホームセキュリティシステムが適用される住宅の間取りを示す斜視図、図３は図１に示した防犯用緊急通報スイッチの配置個所を示す住宅の壁際の縦断面斜視図である。
【００１３】
一実施形態に係るホームセキュリティシステムは、例えば住宅内で発生する各種の異常をセキュリティセンターが２４時間態勢で監視し、異常発生時にはセキュリティセンターが必要な対策を緊急に講じるようにしたホームセキュリティサービスを提供するためのシステムである。
【００１４】
このホームセキュリティシステムは、図１に示すセキュリティセンター１へ電話回線２などを介して各種の異常信号や緊急通報信号を送信するホームコントローラ３を備えると共に、このホームコントローラ３へ向けて各種の異常信号や緊急通報信号を無線送信する防犯用磁気センサー４、防犯用感熱センサー５、火災検知用煙センサー６、火災検知用熱センサー７および防犯用緊急通報スイッチ８を備えている。
【００１５】
ホームコントローラ３は、例えば図２に示す住宅側でホームセキュリティシステムの設定や解除などの各種の操作をカード操作やボタン操作により行う機器であり、室内の美観を損なわず、また、操作し易い場所として、例えばキッチンＫ付近の壁面の手の届く高さ位置に設置される。
【００１６】
防犯用磁気センサー４は、窃盗犯などによるドアや窓などの開閉異常を検知してその開閉異常信号をホームコントローラ３へ無線送信するセンサーであり、図２には図示省略したが、例えば玄関ドアＤやベランダのガラス引戸Ｇに付設される。また、防犯用感熱センサー５は、窃盗犯などの不法侵入者が放射する熱線を検知して不法侵入の異常信号をホームコントローラ３へ無線送信するするセンサーであり、図２には図示省略したが、例えばリビングルームＬの壁面上部に設置される。
【００１７】
火災検知用煙センサー６は、火災により発生する煙を検知して火災発生の異常信号をホームコントローラ３へ無線送信するするセンサーであり、図２には図示省略したが、例えばリビングルームＬの天井面に設置される。また、火災検知用熱センサー７は、火災による室温上昇を検知して火災発生の異常信号をホームコントローラ３へ無線送信するセンサーであり、図２には図示省略したが、例えばキッチンＫの天井面に設置される。
【００１８】
ここで、防犯用緊急通報スイッチ８は、窃盗犯や強盗犯などの不法侵入者を発見した家人が操作することにより、不法侵入の緊急通報信号をホームコントローラ３へ無線送信するスイッチであり、図２には図示省略したが、例えばリビングルームＬの壁際の下部に足踏み操作が可能なように配置されている。
【００１９】
図３および図４に示すように、防犯用緊急通報スイッチ８は、足踏み操作が可能な押ボタン８Ａを操作部として有するボックス状に構成されている。この防犯用緊急通報スイッチ８は、リビングルームＬの壁Ｗの際の床に埋設されており、その押ボタン８Ａが壁際の床面Ｆに臨んで配置されている。
【００２０】
ここで、家人がリビングルームＬ内の床面Ｆを壁Ｗに沿って歩いても押ボタン８Ａが不用意に足踏み操作されないように、押ボタン８Ａは、壁Ｗから足幅相当の幅内の床面Ｆに臨んで配置されている。すなわち、押ボタン８Ａは、壁Ｗから７０〜８０ｍｍ程度の幅内の床面Ｆに臨んで配置されている。
【００２１】
以上のように構成された一実施形態のホームセキュリティシステムでは、例えば図４に示すように、リビングルームＬ内で家人が強盗犯に遭遇した場合、家人は強盗犯を不用意に刺激しないように静かに壁Ｗの際まで後ずさりし、強盗犯に気取られないように防犯用緊急通報スイッチ８の押ボタン８Ａを足の踵で踏み付けて操作する。この操作により、防犯用緊急通報スイッチ８が不法侵入の緊急通報信号をホームコントローラ３へ無線送信し、ホームコントローラ３が電話回線２を介してセキュリティセンター１へ不法侵入の緊急通報信号を送信する。
【００２２】
従って、一実施形態のホームセキュリティシステムによれば、強盗犯などに脅迫された状態においても家人は容易にセキュリティセンター１へ緊急通報することができる。その結果、セキュリティセンター１は、強盗犯が不法侵入した住宅へ緊急対処員を急行させると共に、最寄りの警察などに通報するなどの対策を緊急に講じることができる。
【００２３】
本考案に係るホームセキュリティシステムは、一実施形態に限定されるものではない。例えば、防犯用緊急通報スイッチ８は、図２に示した住宅のリビングルームＬの壁際の下部に限らず、ダイニングルームや和室または洋室などの他の部屋の壁際の下部に配置してもよい。また、防犯用緊急通報スイッチ８は、図３に示した壁Ｗの最下部の壁面に押ボタン８Ａを臨ませて配置してもよい。この場合、家人は足の踵を押し付けて押ボタン８Ａを操作することができる。
【図面の簡単な説明】
【００２４】
【図１】本考案の一実施形態に係るホームセキュリティシステムのシステム構成図である。
【図２】図１に示したホームセキュリティシステムが適用される住宅の間取りを示す斜視図である。
【図３】図１に示した防犯用緊急通報スイッチの配置個所を示す住宅の壁際の縦断面斜視図である。
【図４】図３に示した防犯用緊急通報スイッチの操作状態を示す住宅の壁際の縦断面図である。
【符号の説明】
【００２５】
１    セキュリティセンター
２    電話回線
３    ホームコントローラ
４    防犯用磁気センサー
５    防犯用感熱センサー
６    火災検知用煙センサー
７    火災検知用熱センサー
８    防犯用緊急通報スイッチ
８Ａ  押ボタン
【図１】
0003103031.tif 000003
【図２】
0003103031.tif 000004
【図３】
0003103031.tif 000005
【図４】
0003103031.tif 000006